(57)【要約】【課題】施工性を向上させつつ、各照明器具の設置場所を容易に特定できる照明システムを提供する。【解決手段】照明システムは、固有の識別ＩＤがそれぞれ割り当てられた複数の照明器具２と、複数の照明器具２を制御するコントローラ１とを備える。コントローラ１は、各照明器具２に対して、各照明器具２に割り当てられた識別ＩＤと、所定の動作を行わせる制御情報とを少なくとも含む伝送信号を送信するとともに、上記の所定動作を行った照明器具２の設置場所に基づいて設置場所を示す場所アドレスを割り当て、上記の識別ＩＤと対応付けて記憶する。また、コントローラ１は、各照明器具２に割り当てられた場所アドレスに基づいて一括動作させるグループを設定する。【選択図】図１
2011238563.tif 000002
【特許請求の範囲】
【請求項１】
固有の識別符号がそれぞれ割り当てられた複数の照明器具と、前記複数の照明器具を制御するコントローラとを備え、
前記コントローラは、前記複数の照明器具の各々に対し、各照明器具に割り当てられた前記識別符号と、所定の動作を行わせる制御情報とを少なくとも含む伝送信号を送信するとともに、前記所定の動作を行った前記照明器具の設置場所に基づいて設置場所を示す第１のアドレスを割り当て、この照明器具の識別符号と対応付けて記憶し、各照明器具に割り当てられた前記第１のアドレスに基づいて一括動作させるグループを設定することを特徴とする照明システム。
【請求項２】
前記コントローラは、前記第１のアドレスと、前記グループに対応させた第２のアドレスとを対応付けたデータテーブルを有し、前記複数の照明器具が同じレイアウトで配置された空間が複数ある場合には、前記データテーブルを用いることで各空間に対して一括してグループ設定を行うことを特徴とする請求項１記載の照明システム。
【発明の詳細な説明】
【技術分野】
【０００１】
本発明は、照明システムに関するものである。
【背景技術】
【０００２】
従来より、複数の照明器具と、これらの照明器具を制御するコントローラとが通信線を介して接続された照明システムが提供されている。この照明システムでは、各照明器具に対してそれぞれ固有の識別ＩＤが割り当てられており、例えばタイムスケジュールやスイッチ操作、センサ出力などに応じて、コントローラから識別ＩＤを含む所定の伝送信号が送信される。そして、上記の伝送信号を受け取った各照明器具では、この伝送信号に含まれる識別ＩＤが自己に割り当てられた識別ＩＤに一致すると、伝送信号に含まれる制御命令に従って光源を点灯、消灯又は点滅させるのである。
【０００３】
ここにおいて、大規模な照明システムでは、上述のような各照明器具毎に制御する方法よりも、複数の照明器具をグループ単位で制御する方法が一般的である（例えば特許文献１参照）。そのグループ設定の方法としては、設置後の各照明器具に対して１台ずつ順番にグループ設定する方法や、各照明器具に対して予めグループ設定を行い、設定したグループに従って各照明器具を設置する方法などがある。
【先行技術文献】
【特許文献】
【０００４】
【特許文献１】特開２００７−２８７６８２号公報（段落［００１１］、及び、第２図）
【発明の概要】
【発明が解決しようとする課題】
【０００５】
しかしながら、各照明器具に対して１台ずつ順番にグループ設定したり、予め設定したグループに従って各照明器具を設置する場合には、照明器具の設置台数が増えるにつれて手間がかかるものであった。また、各照明器具に対して直接グループ設定した場合には、通信によりランプ切れなどの異常がコントローラへ送信された場合に、上記の識別ＩＤだけでは、どの場所に設置された照明器具で異常が発生したのかを判断できるものではなかった。
【０００６】
本発明は上記問題点に鑑みて為されたものであり、その目的とするところは、施工性を向上させつつ、各照明器具の設置場所を容易に特定できる照明システムを提供することにある。
【課題を解決するための手段】
【０００７】
本発明の照明システムは、固有の識別符号がそれぞれ割り当てられた複数の照明器具と、複数の照明器具を制御するコントローラとを備え、コントローラは、複数の照明器具の各々に対し、各照明器具に割り当てられた識別符号と、所定の動作を行わせる制御情報とを少なくとも含む伝送信号を送信するとともに、所定の動作を行った照明器具の設置場所に基づいて設置場所を示す第１のアドレスを割り当て、この照明器具の識別符号と対応付けて記憶し、各照明器具に割り当てられた第１のアドレスに基づいて一括動作させるグループを設定することを特徴とする。
【０００８】
この照明システムにおいて、コントローラは、第１のアドレスと、グループに対応させた第２のアドレスとを対応付けたデータテーブルを有し、複数の照明器具が同じレイアウトで配置された空間が複数ある場合には、データテーブルを用いることで各空間に対して一括してグループ設定を行うのが好ましい。
【発明の効果】
【０００９】
施工性を向上させつつ、各照明器具の設置場所を容易に特定可能な照明システムを提供することができるという効果がある。
【図面の簡単な説明】
【００１０】
【図１】本実施形態の照明システムの概略ブロック図である。
【図２】同上を構成する照明器具の配置例である。
【図３】同上を構成する照明器具の他の配置例である。
【発明を実施するための形態】
【００１１】
以下に、本発明に係る照明システムの実施形態を図１〜図３に基づいて説明する。
【００１２】
本実施形態の照明システムは、図１に示すように複数（図１では３台）の照明器具２と、これらの照明器具２を制御するコントローラ１とを備えており、通信線Ｌｓにより接続されている。なお、以下の説明において、各照明器具２を区別する必要がある場合には、照明器具２Ｎ（Ｎ＝１，２，３，…）と表記する。
【００１３】
各照明器具２は、コントローラ１との間で伝送信号の送受信を行う送受信部２１と、光源（例えば蛍光ランプなど）２２と、送受信部２１及び光源２２を制御するとともに全般的な制御を行う制御部２０と、記憶部２３とを備える。また、各照明器具２には、他の照明器具２と区別するために固有の識別ＩＤ（識別符号）が割り当てられており、上記の記憶部２３にそれぞれ記憶されている。なお、この識別ＩＤは、工場出荷時に記憶部２３に記憶させてもいいし、設置後においてシステムを立ち上げた際にランダムに設定して記憶部２３に記憶させるようにしてもよい。
【００１４】
コントローラ１は、各照明器具２との間で伝送信号の送受信を行う送受信部１１と、後述する場所アドレスやグループアドレスなどを設定する設定部１２と、送受信部１１及び設定部１２を制御するとともに全般的な制御を行う制御部１０と、記憶部１３とを備える。そして、設定部１２により設定された場所アドレスやグループアドレスは、各照明器具２に割り当てられた識別ＩＤに対応付けて記憶部１３に記憶される。なお、詳細については後述する。
【００１５】
ここで、図２は本照明システムを構成する照明器具２Ｎ（Ｎ＝１，２，…，２２）の配置例であり、例えばオフィスビルなどの１フロアを示している。図２に示す例では、フロアが４つのエリアＡ〜Ｄに分けられており、エリアＡには９台の照明器具２１〜２９が配置され、エリアＢには３台の照明器具２１０〜２１２が配置されている。また、エリアＣには４台の照明器具２１３〜２１６が配置され、エリアＤには６台の照明器具２１７〜２２２が配置されている。ここに、図２中の各照明器具２１〜２２２に記載された数字は、各照明器具２１〜２２２の場所アドレスを示している。
【００１６】
また、表１は、各照明器具２Ｎ（Ｎ＝１，２，…，２２）にそれぞれ設定される場所アドレスとグループアドレスとの対応関係を示すデータテーブルである。このデータテーブルによれば、場所アドレス１〜９が設定される（つまりエリアＡに配置される）照明器具２１〜２９にはグループアドレス１が設定され、場所アドレス１０〜１２が設定される（つまりエリアＢに配置される）照明器具２１０〜２１２にはグループアドレス２が設定されることになる。また、場所アドレス１３〜１６が設定される（つまりエリアＣに配置される）照明器具２１３〜２１６にはグループアドレス３が設定され、場所アドレス１７〜２２が設定される（つまりエリアＤに配置される）照明器具２１７〜２２２にはグループアドレス４が設定されることになる。なお、このデータテーブルは、図示しないアドレスマップなどに基づいて事前に作成されて記憶部１３に記憶させてあり、各照明器具２に対してグループアドレスを設定する際に記憶部１３から読み出される。ここに、本実施形態では、照明器具２の設置場所を示す第１のアドレスとして場所アドレス１〜２２を用い、また一括動作させるグループに対応させた第２のアドレスとしてグループアドレス１〜４を用いている。
【００１７】
【表１】
2011238563.tif 000003
【００１８】
次に、場所アドレスの設定方法について説明する。設定部１２を操作して本照明システムの動作モードを場所アドレス設定モードに設定すると、コントローラ１は、例えば照明器具２１に対して、この照明器具２１の識別ＩＤと、所定の動作（例えば点滅動作など）を行わせる制御情報とを少なくとも含む伝送信号を通信線Ｌｓを介して送信する。すると、照明器具２１では、コントローラ１から送信された伝送信号に含まれる識別ＩＤが自己の識別ＩＤに一致することから、伝送信号に含まれる制御情報に基づいて点滅動作を開始する。
【００１９】
照明器具２１が点滅しているのを確認した設定者は、コントローラ１の設定部１２を操作して、点滅している照明器具２１に対応する場所アドレス１を設定するとともに、照明器具２１の識別ＩＤと場所アドレス１とを含む伝送信号を通信線Ｌｓを介して送信する。上記の伝送信号を受信した照明器具２１では、伝送信号に含まれる識別ＩＤが自己の識別ＩＤに一致することから、伝送信号に含まれる場所アドレス１を取り込み、記憶部２３に記憶させる。なお、その他の照明器具２２〜２２２では、伝送信号に含まれる識別ＩＤが自己の識別ＩＤに一致しないため、場所アドレス１が取り込まれることはない。また、コントローラ１では、照明器具２１の場所アドレス１が識別ＩＤと対応付けて記憶部１３に記憶される。以下同様の処理を経て、照明器具２２〜２２２に対して場所アドレス２〜２２がそれぞれ設定され、各場所アドレス２〜２２は、各照明器具２２〜２２２の記憶部２３にそれぞれ記憶されるとともに、それぞれの識別ＩＤに対応付けてコントローラ１の記憶部１３に記憶される。
【００２０】
続けて、グループアドレスの設定方法について説明する。本実施形態では、各照明器具２の場所アドレスとグループアドレスとを対応付けたデータテーブル（表１参照）がコントローラ１の記憶部１３に記憶させてあるため、例えば設定部１２を操作することで照明器具２１〜２２２に対して順次グループアドレスを設定することが可能である。つまり、各照明器具２に対してそれぞれグループアドレスを設定しなくてもいいことから、作業時間の短縮を図ることができる。
【００２１】
次に、図３は本照明システムを構成する照明器具２の他の配置例であり、複数（図３では３箇所）のフロアにおいて同じレイアウトで照明器具２１〜２２２が配置された場合を示している。このような場合、上述したデータテーブルを用いることによって複数のフロアのグループ設定を一括で行うことが可能であり、そのため作業時間をさらに短縮することができる。
【００２２】
而して、本実施形態によれば、各照明器具２を設置した後にコントローラ１から場所アドレス（第１のアドレス）の割り当て及びグループ設定を行うため、予めグループ設定した照明器具２を設置する場合に比べて、設置場所に応じて照明器具２を選択する手間を省くことができ、施工性が向上するという利点がある。また、各照明器具２にそれぞれ設定された場所アドレスによって照明器具２の設置場所を特定できるため、例えばランプ切れや電力オーバーなどの異常が発生した場合に、異常の発生した照明器具２を容易に特定することができる。
【００２３】
なお、本実施形態では、場所アドレスを設定する際の所定の動作として照明器具２を点滅させているが、例えば対象となる照明器具２を点灯させてもいいし、また対象となる照明器具２を消灯させてそれ以外の照明器具２を点灯させるようにしてもよく、他の照明器具２と視覚的に識別できるように異なる動作状態で動作させればよい。また、各照明器具２に設定される識別ＩＤ（識別符号）は、数字であってもいいし、アルファベットなどの記号であってもいいし、数字と記号を組み合わせたものでもよい。さらに、本実施形態では、場所アドレスやグループアドレスを設定する際にコントローラ１の設定部１２を操作して設定しているが、例えば赤外線を用いたリモコンなどによって設定するようにしてもよい。また、照明器具２の台数についても本実施形態に限定されるものではなく、複数であればよい。さらに、本実施形態では、場所アドレスやグループアドレスを設定する際に照明器具２１側から順番に設定しているが、照明器具２２２側から順番に設定してもいいし、ランダムに設定してもよい。
【符号の説明】
【００２４】
１  コントローラ
２  照明器具
【図１】
2011238563.tif 000004
【図２】
2011238563.tif 000005
【図３】
2011238563.tif 000006